(57)【要約】  加入者側光回線終端装置（ＯＮＵ）は、データ信号及びプリバイアス信号を定周期で出力する制御ＬＳＩ１０と、これらの信号に基づき光出力する光送受信器３０と、誤発光を防止する誤発光防止回路２０とを備える。第１及び第２の誤発光検出回路２１，２２は、所定期間、データ信号及びプリバイアス信号に立上りがない場合に異常検出アラーム信号を出力する。ＯＲ素子２３は、第１及び第２の誤発光検出回路２１，２２の少なくとも一方から異常検出アラーム信号が入力された場合に光送受信器３０にシャットダウン信号を出力して、光出力を停止させる。
2011024350.tif 000002
【特許請求の範囲】
【請求項１】
プリバイアス信号が発生する定周期にデータ信号を光出力する発光素子を有する光送信器の誤発光防止回路であって、
前記プリバイアス信号をモニタして、所定期間変調しない場合に異常検出アラーム信号を出力するプリバイアス用誤発光検出回路と、
前記プリバイアス用誤発光検出回路から異常検出アラーム信号が入力された場合に、前記光送信器の光出力を停止させる強制停止手段とを備えることを特徴とする光送信器の誤発光防止回路。
【請求項２】
データ信号をモニタして、所定期間変調しない場合に異常検出アラーム信号を出力するデータ用誤発光検出回路を備え、
強制停止手段は、前記データ用誤発光検出回路及びプリバイアス用誤発光検出回路の少なくとも一方から異常検出アラーム信号が入力された場合に、光送信器の光出力を停止させることを特徴とする請求項１記載の光送信器の誤発光防止回路。
【請求項３】
プリバイアス信号が入力される間、データ信号を光送信器に出力するＡＮＤゲートを備えることを特徴とする請求項１記載の光送信器の誤発光防止回路。
【請求項４】
プリバイアス用誤発光検出回路は、プリバイアス信号の立上りを検出すると一定時間の信号を出力するワンショットマルチＩＣ（Ｉｎｔｅｇｒａｔｅｄ  Ｃｉｒｃｕｉｔ）を有し、当該ワンショットマルチＩＣが出力する信号が途切れると異常検出アラーム信号を出力することを特徴とする請求項１記載の光送信器の誤発光防止回路。
【請求項５】
データ用誤発光検出回路は、データ信号の立上りを検出すると一定時間の信号を出力するワンショットマルチＩＣを有し、当該ワンショットマルチＩＣが出力する信号が途切れると異常検出アラーム信号を出力することを特徴とする請求項２記載の光送信器の誤発光防止回路。
【請求項６】
強制停止手段は、データ用誤発光検出回路及びプリバイアス用誤発光検出回路の少なくとも一方から異常検出アラーム信号が入力された場合に、光送信器の光出力を停止させるシャットダウン信号を当該光送信器に出力するＯＲ素子を有することを特徴とする請求項１記載の光送信器の誤発光防止回路。
【請求項７】
光送信器の光出力を停止させる制御ＬＳＩ（Ｌａｒｇｅ  Ｓｃａｌｅ  Ｉｎｔｅｇｒａｔｉｏｎ）を備え、
強制停止手段は、データ用誤発光検出回路及びプリバイアス用誤発光検出回路の少なくとも一方から異常検出アラーム信号が入力された場合に、誤発光検出アラーム信号を前記制御ＬＳＩに出力するＯＲ素子を有し、
前記制御ＬＳＩは、前記強制停止手段から誤発光検出アラーム信号が入力された場合に、前記光送信器の光出力を停止させることを特徴とする請求項１記載の光送信器の誤発光防止回路。
【発明の詳細な説明】
【技術分野】
【０００１】
この発明は、ＧＥＰＯＮシステム（Ｇｉｇａｂｉｔ  Ｅｔｈｅｒｎｅｔ  Ｐａｓｓｉｖｅ  Ｏｐｔｉｃａｌ  Ｎｅｔｗｏｒｋ  Ｓｙｓｔｅｍ／Ｅｔｈｅｒｎｅｔは登録商標）の加入者側光回線終端装置（ＯＮＵ：Ｏｐｔｉｃａｌ  Ｎｅｔｗｏｒｋ  Ｕｎｉｔ）に搭載された光送受信器の誤発光を防止する誤発光防止回路に関するものである。
【背景技術】
【０００２】
ＧＥＰＯＮシステムは、ＦＴＴＢ（Ｆｉｂｅｒ  Ｔｏ  Ｔｈｅ  Ｂｕｉｌｄｉｎｇ）等の光加入者システム、又はＦＴＴＨ（Ｆｉｂｅｒ  Ｔｏ  Ｔｈｅ  Ｈｏｍｅ）等の最大伝送速度１ギガビット／秒又は２．５ギガビット／秒のインターネットサービスを加入者に提供する光加入者アクセスネットワークシステムである。このＧＥＰＯＮシステムは、センタ局に設置される局側光回線終端装置（ＯＬＴ：Ｏｐｔｉｃａｌ  Ｌｉｎｅ  Ｔｅｒｍｉｎａｌ）と、伝送路を最大３２から６４本に分岐させる光分岐器と、加入者宅内に設置される加入者側光回線終端装置（ＯＮＵ）とから構成される。加入者側光回線終端装置（ＯＮＵ）から局側光回線終端装置（ＯＬＴ）に伝送される上り方向のデジタルデータ信号には１３１０ｎｍ帯の波長が割り当てられ、一方、局側光回線終端装置（ＯＬＴ）から加入者側光回線終端装置（ＯＮＵ）に伝送される下り方向のデジタルデータ信号等（デジタル音声信号も含む）には１４９０ｎｍ帯の波長が割り当てられ、下り方向の映像用信号（アナログビデオ信号も含む）には１５５０ｎｍ帯の波長が割り当てられる。こうして、複数の波長を割り当て可能な波長多重方式（ＷＤＭ：Ｗａｖｅｌｅｎｇｔｈ  Ｄｉｖｉｓｉｏｎ  Ｍｕｌｔｉｐｌｅｘｉｎｇ）を使用して、ファイバ１本で、上り波長と下り波長を伝送する１芯双方向光通信を行う。【０００３】
ＧＥＰＯＮシステムでは、上り方向の１３１０ｎｍ帯光信号は、パケット又はセルと呼ばれる固まりを単位として、それぞれが相互に重なることなく別々のタイミングで局側光回線終端装置（ＯＬＴ）に到着するように送出タイミングを制御して各加入者側光回線終端装置（ＯＮＵ）から伝送される。そして、各加入者側光回線終端装置（ＯＮＵ）の上り方向の光信号は、光スプリッタのような合分波素子によって単純に重ね合わされて、局側光回線終端装置（ＯＬＴ）に入力される。【０００４】
このため、ＧＥＰＯＮシステムでは、ある加入者側光回線終端装置（ＯＮＵ）が正規の光信号送出タイミング以外で発光すると、他の加入者側光回線終端装置（ＯＮＵ）の上り方向の光信号と衝突し、局側光回線終端装置（ＯＬＴ）が正しく受信できなくなってしまうという問題がある。特に常時発光という形で誤発光してしまうと、同じ局側光回線終端装置（ＯＬＴ）に収容された全ての加入者側光回線終端装置（ＯＮＵ）の通信を妨害することになってしまう。【０００５】
一般に、ＧＥＰＯＮシステムの加入者側光回線終端装置（ＯＮＵ）に用いられる光送受信器の送信部は、入力されるデータ信号（伝送されるデジタルデータ信号そのもの）及びプリバイアス信号（加入者側光回線終端装置（ＯＮＵ）自身が送信権を持つ期間を示す信号）等の駆動信号に従って光信号を送出する。これらデータ信号及びプリバイアス信号は、ＰＯＮ−ＬＳＩ（Ｌａｒｇｅ  Ｓｃａｌｅ  Ｉｎｔｅｇｒａｔｉｏｎ）等の制御ＬＳＩが出力するが、この制御ＬＳＩが故障して、データ信号及びプリバイアス信号の片方だけでも電位が「Ｈｉｇｈ」レベルに固定された状態（以下、Ｈｉｇｈ固定状態）又は不定電位の状態になると、光送受信器は常時発光し、誤ったタイミングで光信号を送出することになる。【０００６】
そこで、上記のような加入者側光回線終端装置（ＯＮＵ）の誤発光を防止するために、例えば特許文献１に誤発光防止回路が開示されている。この誤発光防止回路では、光出力断検出用のモニタ・フォト・ダイオード等の光検出素子を用いて、駆動信号によって発光するレーザ・ダイオード等の発光素子の発光を検出して発光検出信号とし、この発光検出信号と駆動信号とを比較して一致／不一致を判定することで、不一致の場合を誤発光と判定する。
【先行技術文献】
【特許文献】
【０００７】
【特許文献１】特開２００６−１９７４４７号公報
【発明の概要】
【０００８】
従来の誤発光防止回路は以上のように構成されているので、光送受信器から送出する光信号を正確にモニタできる高速な光検出素子を精度良く配置する必要があり、高額部品が増え、かつ、精密な組立を実施しなければならないという課題があった。これに加えて、発光検出信号と駆動信号の一致／不一致を判定する複雑な電気回路も必要になる。
これに対して、誤発光検出回路を安価に抑えるために、一般の低速な光出力断検出用のモニタ・フォト・ダイオードを光検出素子に用いた場合、発光検出信号が平均化した信号になるため、通常の発光状態と中途半端な発光レベルでの誤発光状態との区別がつかず、誤発光を検出できないという課題があった。
【０００９】
この発明は、上記のような課題を解決するためになされたもので、高額な光検出素子及び複雑な判定回路に代えて、より安価で簡易な論理ＩＣ（Ｉｎｔｅｇｒａｔｅｄ  Ｃｉｒｃｕｉｔ）を用いて誤発光状態を検出する誤発光防止回路を得ることを目的とする。
【００１０】
この発明に係る誤発光防止回路は、プリバイアス信号をモニタして、所定期間変調しない場合に異常検出アラーム信号を出力するプリバイアス用誤発光検出回路と、プリバイアス用誤発光検出回路から異常検出アラーム信号が入力された場合に、光送信器の光出力を停止させる強制停止手段とを備えるものである。
【００１１】
この発明によれば、プリバイアス信号の立上りが所定期間ない場合に光送信器の光出力を停止させるようにしたので、高額な光検出素子及び複雑な判定回路を必要とせず、より安価で簡易な論理ＩＣを用いて誤発光状態を検出及び防止することができる。
【図面の簡単な説明】
【００１２】
【図１】この発明の実施の形態１に係る加入者側光回線終端装置（ＯＮＵ）の構成を示す回路構成図である。
【図２】この発明の実施の形態１に係る加入者側光回線終端装置（ＯＮＵ）の正常時及び異常時の各部の出力を示す波形図である。
【図３】この発明の実施の形態２に係る加入者側光回線終端装置（ＯＮＵ）の構成を示す回路構成図である。
【図４】この発明の実施の形態３に係る加入者側光回線終端装置（ＯＮＵ）の構成を示す回路構成図である。
【発明を実施するための形態】
【００１３】
以下、この発明をより詳細に説明するために、この発明を実施するための形態について、添付の図面に従って説明する。
実施の形態１．
図１は、この発明の実施の形態１に係る加入者側光回線終端装置（ＯＮＵ）の構成を示す回路構成図であり、特に制御ＬＳＩ１０−誤発光防止回路２０−光送受信器３０間の構成を示す。この例では、ＧＥＰＯＮシステムの局側光回線終端装置（ＯＬＴ）が図１に示す配下の加入者側光回線終端装置（ＯＮＵ）に送信権を発行する。また、加入者側光回線終端装置（ＯＮＵ）は、送信するデータがない場合でも、一定の時間おきに送信データがないことを示すリポートを局側光回線終端装置（ＯＬＴ）に送信する構成となっている。
【００１４】
図１において、制御ＬＳＩ１０は、光送受信器３０に搭載されたレーザ・ダイオード等の発光素子（以下、ＬＤ）３３を駆動するための駆動信号となるデータ信号（図１のＤａｔａ）及びプリバイアス信号（図１のＰｒｅｂｉａｓ）を一定の時間おきに出力する。ここで、データ信号とは、局側光回線終端装置（ＯＬＴ）に伝送されるデジタルデータ信号そのものであり、プリバイアス信号とは、加入者側光回線終端装置（ＯＮＵ）自身が送信権を持つ期間に、ＬＤ３３へバイアス電流を流すように制御するための信号である。上述したように、送信するデータがない場合には、データ信号は送信データがない旨を表す信号となる。また、制御ＬＳＩ１０は、光送受信器３０の発光を強制的に停止させるシャットダウン信号（図１のＳｈｕｔＤｏｗｎ）を光送受信器３０に出力する。
【００１５】
光送受信器３０は、データ信号に応じた駆動電流をＬＤ３３に供給して発光させる変調駆動回路３１と、プリバイアス信号に応じたバイアス電流を供給してＬＤ３３を発光させるバイアス駆動回路３２と、ＬＤ３３とを備え、上り方向のデジタルデータ信号である電気信号を１３１０ｎｍ帯の波長の光信号に変換して、局側光回線終端装置（ＯＬＴ）へ送出する。また、変調駆動回路３１及びバイアス駆動回路３２は、シャットダウン信号が入力されると、そのときにデータ信号又はバイアス信号が入力されていても、強制的にＬＤ３３の発光を停止する。さらに、光送受信器３０は、図１では図示を省略するが、局側光回線終端装置（ＯＬＴ）から伝送された光信号を受信して電気信号に変換する機能も有する。
【００１６】
誤発光防止回路２０は、データ信号の異常を検出する第１の誤発光検出回路（データ用誤発光検出回路）２１と、プリバイアス信号の異常を検出する第２の誤発光検出回路（プリバイアス用誤発光検出回路）２２と、第１及び第２の誤発光検出回路２１，２２の各異常検出アラーム信号の論理和演算を行ってシャットダウン信号を出力するＯＲ素子（強制停止手段）２３とを備える。
【００１７】
第１の誤発光検出回路２１は、制御ＬＳＩ１０と変調駆動回路３１をつなぐデータ信号用の接続線を分岐して挿入される。この第１の誤発光検出回路２１はワンショットマルチＩＣを有し、このワンショットマルチＩＣが一定の時間おきに制御ＬＳＩ１０から入力されるデータ信号の変調の立上りエッジを検出して一定期間の信号を出力する。第１の誤発光検出回路２１は、この一定期間の信号が途切れると、データ信号が障害や誤動作によりＨｉｇｈ固定、Ｌｏｗ固定、又は任意の不定電位固定状態となったものと判断して、ＯＲ素子２３へ異常検出アラーム信号を出力する。
【００１８】
第２の誤発光検出回路２２は、制御ＬＳＩ１０とバイアス駆動回路３２をつなぐプリバイアス信号用の接続線を分岐して挿入される。この第２の誤発光検出回路２２は、第１の誤発光検出回路２１と同じようにワンショットマルチＩＣを有し、このワンショットマルチＩＣが一定の時間おきに制御ＬＳＩ１０から入力されるプリバイアス信号の変調の立上りエッジを検出して一定期間の信号を出力する。第２の誤発光検出回路２２は、この一定期間の信号が途切れると、プリバイアス信号が障害や誤動作によりＨｉｇｈ固定、Ｌｏｗ固定、又は任意の不定電位固定状態となったものと判断して、ＯＲ素子２３へ異常検出アラーム信号を出力する。
【００１９】
一般のワンショットマルチＩＣであれば、抵抗と容量の組み合わせで、出力信号のパルス幅を、システムの要請から想定される立上りエッジの繰り返しまでの最大時間、即ちＧＥＰＯＮシステムの加入者側光回線終端装置（ＯＮＵ）から局側光回線終端装置（ＯＬＴ）へのリポート送信の最大時間に設定すればよい。
なお、第１の誤発光検出回路２１及び第２の誤発光検出回路２２の各ワンショットマルチＩＣを、データ信号及びプリバイアス信号の立上り及び立下りを検出できる回路素子で代用してもよい。
【００２０】
ＯＲ素子２３は、制御ＬＳＩ１０と光送受信器３０をつなぐシャットダウン信号用の接続線に介挿され、制御ＬＳＩ１０からシャットダウン信号が入力される。また、このＯＲ素子２３には、第１の及び第２の誤発光検出回路２１，２２の出力線がそれぞれ接続され、異常検出アラーム信号が入力される。ＯＲ素子２３は、第１及び第２の誤発光検出回路２１，２２のうち少なくともどちらか一方の異常検出アラーム信号が入力されると、シャットダウン信号を光送受信器３０へ出力してシャットダウン制御を行う。
【００２１】
次に、誤発光防止回路２０の動作を説明する。図２は、図１に示す加入者側光回線終端装置（ＯＮＵ）の各部の出力を示す波形図であり、図２（ａ）〜（ｃ）はデータ信号及びプリバイアス信号共に正常の場合、図２（ｄ）〜（ｆ）はプリバイアス信号に異常が発生した場合、図２（ｇ）〜（ｈ）はプリバイアス信号異常時に誤発光防止回路２０が動作した場合を表す。
図２（ａ）及び図２（ｂ）に示すように、制御ＬＳＩ１０が一定の時間おきに、データ信号及びプリバイアス信号を正常に出力している場合、光送受信器３０はこれらの信号に従い図２（ｃ）に示すように一定の時間おきに正常に光出力する。
【００２２】
図２（ｄ）及び図２（ｅ）に示すように、制御ＬＳＩ１０がデータ信号を一定の時間おきに正常に出力しているが、プリバイアス信号をＨｉｇｈ固定状態で一定の時間以上変調なく出力している場合、誤発光防止回路２０がないと、光送受信器３０は図２（ｆ）に示すように最大出力で常時光出力してしまう。この誤発光が他の加入者側光回線終端装置（ＯＮＵ）の通信を妨害する要因となる。
【００２３】
誤発光防止回路２０があれば、図２（ｅ）に示すプリバイアス信号のＨｉｇｈ固定状態のとき、第２の誤発光検出回路２２が、一定の時間以上変調がなく立上りエッジが検出できずにワンショットマルチＩＣの一定時間の出力が途切れた時点で、図２（ｇ）に示すように、異常検出アラーム信号をＯＲ素子２３へ出力する。ＯＲ素子２３は、第２の誤発光検出回路２２から異常検出アラーム信号が入力されると、図２（ｈ）に示すように、シャットダウン信号を光送受信器３０へ出力する。光送受信器３０は、ＯＲ素子２３からシャットダウン信号が入力されると、図２（ｉ）に示すように、ＬＤ３３の発光を強制的に停止させて誤発光状態を停止する。
なお、誤発光防止回路２０は、図２（ｅ）で例示したプリバイアス信号のＨｉｇｈ固定状態の異常時以外にも、Ｌｏｗ固定又は不定電位固定状態であっても同様に誤発光状態を強制停止でき、さらにデータ信号の異常時も同様に強制停止できる。
【００２４】
以上より、実施の形態１によれば、データ信号及びプリバイアス信号を定周期で出力する制御ＬＳＩ１０と、これらの信号に基づき光出力する光送受信器３０とを備える加入者側光回線終端装置（ＯＮＵ）において、データ信号をモニタして所定期間変調しない場合に異常検出アラーム信号を出力する第１の誤発光検出回路２１と、プリバイアス信号をモニタして所定期間変調しない場合に異常検出アラーム信号を出力する第２の誤発光検出回路２２と、第１及び第２の誤発光検出回路２１，２２の少なくとも一方から異常検出アラーム信号が入力された場合に光送受信器３０に光出力を停止させるシャットダウン信号を出力するＯＲ素子２３とからなる誤発光防止回路２０を備えるように構成した。
このため、第１の誤発光検出回路２１がデータ信号を、第２の誤発光検出回路２２がプリバイアス信号を独立に監視して、どちらかの信号に障害や誤動作が発生した場合も即座に光送受信器３０をシャットダウン制御して誤発光状態を停止することができる。また、誤発光防止回路２０は、データ信号及びプリバイアス信号のＨｉｇｈ固定及びＬｏｗ固定の異常状態だけでなく、任意の不定電位固定の異常状態も検出することができるので、中途半端な光出力での常時発光も含めて誤発光を防止することができる。さらに、高額な光検出素子及び複雑な判定回路を必要とせず、より安価で簡易な論理ＩＣで誤発光防止回路２０を実現することができる。
【００２５】
また、実施の形態１によれば、第１の誤発光検出回路２１は、データ信号の立上りを検出すると一定時間の信号を出力するワンショットマルチＩＣを有し、このワンショットマルチＩＣが出力する信号が途切れると異常検出アラーム信号を出力するように構成した。同様に、第２の誤発光検出回路２２も、プリバイアス信号の立上りを検出すると一定時間の信号を出力するワンショットマルチＩＣを有し、このワンショットマルチＩＣが出力する信号が途切れると異常検出アラーム信号を出力するように構成した。ワンショットマルチＩＣが安価で簡易なので、誤発光防止回路２０も安価で簡易に実現することができる。
【００２６】
実施の形態２．
図３は、実施の形態２に係る加入者側光回線終端装置（ＯＮＵ）の構成を示す回路構成図であり、図１と同一又は相当の部分については同一の符号を付し説明を省略する。本実施の形態２の誤発光防止回路２０ａは、上記実施の形態１の誤発光防止回路２０のＯＲ素子２３に代えて、ＯＲ素子２３ａを備える。また、制御ＬＳＩ１０のシャットダウン信号用の接続線は、直接、光送受信器３０に接続される。
【００２７】
図３において、ＯＲ素子２３ａは、第１及び第２の誤発光検出回路２１，２２の出力線がそれぞれ接続され、異常検出アラーム信号が入力される。ＯＲ素子２３ａは、第１及び第２の誤発光検出回路２１，２２のうち少なくともどちらか一方の異常検出アラーム信号が入力されると、誤発光検出アラーム信号を制御ＬＳＩ１０へ出力する。
【００２８】
制御ＬＳＩ１０は、ＯＲ素子２３ａから誤発光検出アラーム信号が入力されると、光送受信器３０へシャットダウン信号を出力してシャットダウン制御を行う。このように、誤発光防止回路２０ａで誤発光を検出した場合に、制御ＬＳＩ１０を経由して光出力の強制停止を行うようにすることで、ソフトウェア等でシャットダウン制御の条件をより詳細に設定することが可能となる。なお、本実施の形態２では、ＯＲ素子２３ａ及び制御ＬＳＩ１０が強制停止手段を構成する。
【００２９】
以上より、実施の形態２によれば、ＯＲ素子２３ａは、第１及び第２の誤発光検出回路２１，２２の少なくとも一方から異常検出アラーム信号が入力された場合に誤発光検出アラーム信号を制御ＬＳＩ１０に出力し、制御ＬＳＩ１０は、この誤発光検出アラーム信号が入力された場合に光送受信器３０の光出力を停止させるように構成した。
このため、誤発光防止回路２０ａを用いれば、上記実施の形態１の効果に加え、シャットダウン制御の条件をより詳細に設定することができる。
【００３０】
実施の形態３．
図４は、実施の形態３に係る加入者側光回線終端装置（ＯＮＵ）の構成を示す回路構成図であり、図１と同一又は相当の部分については同一の符号を付し説明を省略する。本実施の形態３の誤発光防止回路２０ｂは、上記実施の形態１の誤発光防止回路２０の第１の誤発光検出回路２１に代えて、ＡＮＤゲート２４を備える。また、ＯＲ素子２３は、第２の誤発光検出回路２２の異常検出アラーム信号のみを入力として用い、第２の誤発光検出回路２２から異常検出アラーム信号が入力されるとシャットダウン信号を光送受信器３０へ出力する。
【００３１】
図４において、ＡＮＤゲート２４は、制御ＬＳＩ１０と変調駆動回路３１とをつなぐデータ信号用の接続線に介挿され、かつ、制御ＬＳＩ１０とバイアス駆動回路３２とをつなぐプリバイアス信号用の接続線を分岐させて入力に用いる。このＡＮＤゲート２４は、プリバイアス信号が入力されている間のみ、データ信号を変調駆動回路３１へ出力する。
【００３２】
本実施の形態３の誤発光防止回路２０ｂを有する加入者側光回線終端装置（ＯＮＵ）では、データ信号が障害や誤動作によってＨｉｇｈ固定、Ｌｏｗ固定、又は任意の不定電位固定状態となった場合でも、一定の時間おきに制御ＬＳＩ１０から出力されるプリバイアス信号がＡＮＤゲート２４に入力されているときでないと、光送受信器３０にデータ信号が入力されない。このため、光送受信器３０は、局側光回線終端装置（ＯＬＴ）が発行した送信権が示す期間のみ光出力を行う。従って、同一の局側光回線終端装置（ＯＬＴ）の配下に接続された、他の全ての加入者側光回線終端装置（ＯＮＵ）の通信に影響は与えない。
やがて、局側光回線終端装置（ＯＬＴ）は、この加入者側光回線終端装置（ＯＮＵ）から一定の時間おきのリポート送信を検出できないので、障害が発生していると判断し、この加入者側光回線終端装置（ＯＮＵ）への送信権発行を停止する。
すると、加入者側光回線終端装置（ＯＮＵ）の制御ＬＳＩ１０は、送信権発行停止を受けて、光出力を停止する。
【００３３】
ただし、プリバイアス信号が障害や誤動作によってＨｉｇｈ固定、Ｌｏｗ固定、又は任意の不定電位固定状態となった場合は、ＡＮＤゲート２４のデータ信号出力を阻止できないので、第２の誤発光検出回路２２がプリバイアス信号の無変調を検出して異常検出アラーム信号をＯＲ素子２３へ出力し、ＯＲ素子２３が光送受信器３０にシャットダウン信号を出力して誤発光を停止させる。
【００３４】
以上より、実施の形態３によれば、データ信号及びプリバイアス信号を定周期で出力する制御ＬＳＩ１０と、これらの信号に基づき光出力する光送受信器３０とを備える加入者側光回線終端装置（ＯＮＵ）において、プリバイアス信号をモニタして所定期間変調しない場合に異常検出アラーム信号を出力する第２の誤発光検出回路２２と、この第２の誤発光検出回路２２から異常検出アラーム信号が入力された場合に光送受信器３０の光出力を停止させるシャットダウン信号を出力するＯＲ素子２３と、プリバイアス信号が入力される間、データ信号を光送受信器３０に出力するＡＮＤゲート２４とからなる誤発光防止回路２０ｂを備えるように構成した。
このため、誤発光防止回路２０ｂでは、データ信号に障害や誤動作が発生しても、ＡＮＤゲート２４がプリバイアス信号入力中のみデータ信号を出力するので、誤発光により他の加入者側光回線終端装置（ＯＮＵ）の通信に影響を与えることを防止できる。また、プリバイアス信号に障害や誤動作が発生した場合には即座にシャットダウン制御して誤発光状態を停止することができる。さらに、高額な光検出素子及び複雑な判定回路を必要とせず、より安価で簡易な論理ＩＣで誤発光防止回路２０ｂを実現することができる。
【００３５】
なお、上記実施の形態３では、ＡＮＤゲート２４を誤発光防止回路２０ｂが備える構成であったが、光送受信器３０の構成によっては、ＡＮＤゲート２４を光送受信器３０が備えている場合もある。この構成の場合には、誤発光防止回路２０ｂは第２の誤発光検出回路２２及びＯＲ素子２３のみ備えればよく、より簡単に誤発光防止の効果を得ることができる。
【００３６】
また、上記実施の形態３では、ＯＲ素子２３がシャットダウン信号を光送受信器３０へ出力する構成であったが、上記実施の形態２のＯＲ素子２３ａのように誤発光検出アラーム信号を一旦制御ＬＳＩ１０へ出力し、制御ＬＳＩ１０から光送受信器３０へシャットダウン信号を出力するようにしてもよい。この構成の場合には、上記実施の形態２と同様に、ソフトウェア等でシャットダウン制御の条件をより詳細に設定することができる。
【００３７】
なお、上記実施の形態１〜３において、誤発光防止回路２０，２０ａ，２０ｂは、少なくとも、プリバイアス信号をモニタするプリバイアス用誤発光検出回路（第２の誤発光検出回路２２）と、光送受信器３０の発光を停止させる強制停止手段（制御ＬＳＩ１０、ＯＲ素子２３，２３ａ）とを備える構成であれば、誤発光により他の加入者側光回線終端装置（ＯＮＵ）の通信に影響を与えることを防止できるので、第１の誤発光検出回路２１やＡＮＤゲート２４を省略してもよい。省略した構成の場合、プリバイアス信号の立上りが所定期間ない場合に光送信器の光出力を停止させることになるので、上記実施の形態１〜３と同様に高額な光検出素子及び複雑な判定回路を必要とせず、より安価で簡易な論理ＩＣを用いて誤発光状態を検出及び防止することができる効果がある。
【産業上の利用可能性】
【００３８】
この発明に係る光送信器の誤発光防止回路は、高額な光検出素子及び複雑な判定回路を必要とせず、より安価で簡易な論理ＩＣを用いて誤発光状態を検出及び防止することができるため、ＧＥＰＯＮシステムの加入者側光回線終端装置等に用いるのに適している。
【図１】
2011024350.tif 000003
【図２】
2011024350.tif 000004
【図３】
2011024350.tif 000005
【図４】
2011024350.tif 000006
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
プリバイアス信号が発生する定周期にデータ信号を光出力する発光素子を有する光送信器の誤発光防止回路であって、
前記プリバイアス信号をモニタして、所定期間変調しない場合に異常検出アラーム信号を出力するプリバイアス用誤発光検出回路と、
前記プリバイアス用誤発光検出回路から異常検出アラーム信号が入力された場合に、前記光送信器の光出力を停止させる強制停止手段とを備えることを特徴とする光送信器の誤発光防止回路。
【請求項２】
データ信号をモニタして、所定期間変調しない場合に異常検出アラーム信号を出力するデータ用誤発光検出回路を備え、
強制停止手段は、前記データ用誤発光検出回路及びプリバイアス用誤発光検出回路の少なくとも一方から異常検出アラーム信号が入力された場合に、光送信器の光出力を停止させることを特徴とする請求項１記載の光送信器の誤発光防止回路。
【請求項３】
プリバイアス信号が入力される間、データ信号を光送信器に出力するＡＮＤゲートを備えることを特徴とする請求項１記載の光送信器の誤発光防止回路。
【請求項４】
プリバイアス用誤発光検出回路は、プリバイアス信号の立上りを検出すると一定時間の信号を出力するワンショットマルチＩＣ（Ｉｎｔｅｇｒａｔｅｄ  Ｃｉｒｃｕｉｔ）を有し、当該ワンショットマルチＩＣが出力する信号が途切れると異常検出アラーム信号を出力することを特徴とする請求項１記載の光送信器の誤発光防止回路。
【請求項５】
データ用誤発光検出回路は、データ信号の立上りを検出すると一定時間の信号を出力するワンショットマルチＩＣを有し、当該ワンショットマルチＩＣが出力する信号が途切れると異常検出アラーム信号を出力することを特徴とする請求項２記載の光送信器の誤発光防止回路。
【請求項６】
強制停止手段は、データ用誤発光検出回路及びプリバイアス用誤発光検出回路の少なくとも一方から異常検出アラーム信号が入力された場合に、光送信器の光出力を停止させるシャットダウン信号を当該光送信器に出力するＯＲ素子を有することを特徴とする請求項２記載の光送信器の誤発光防止回路。
【請求項７】
光送信器の光出力を停止させる制御ＬＳＩ（Ｌａｒｇｅ  Ｓｃａｌｅ  Ｉｎｔｅｇｒａｔｉｏｎ）を備え、
強制停止手段は、データ用誤発光検出回路及びプリバイアス用誤発光検出回路の少なくとも一方から異常検出アラーム信号が入力された場合に、誤発光検出アラーム信号を前記制御ＬＳＩに出力するＯＲ素子を有し、
前記制御ＬＳＩは、前記強制停止手段から誤発光検出アラーム信号が入力された場合に、前記光送信器の光出力を停止させることを特徴とする請求項２記載の光送信器の誤発光防止回路。
【国際調査報告】
2011024350.tif 000007
2011024350.tif 000008
2011024350.tif 000009
2011024350.tif 000010